(57)【要約】      （修正有）【課題】高さを調整保持して固定ネジによって固定する楽器類のスタンドやパーツにおいて、大きなトルクで固定ネジを捻回し、締め付けてそれらの落下、転倒を防ぐ。【解決手段】左右対称位置に摘み部Ｐ２を突設して成る蝶ネジＰを回すネジ回し装置の装置本体１を、蝶ネジＰの摘み部Ｐ２にわたる全幅よりも長い中央面部２と左右側面部３とによって略コ字枠状に成形し、左右側面部３同士の間隔幅を蝶ネジＰの摘み部Ｐ２にわたる全幅よりも短く形成する。中央面部２の長手方向一端側には、蝶ネジＰのネジ軸頭部Ｐ１における突出部分が挿入可能となるよう挿入開口部４を形成し、左右側面部３の各内側面には、中央面部２の挿入開口部４位置に対応して緩衝部材５を貼着し、左右側面部３のいずれか一方の長手方向他端側には、ストラップ取付用の取付金具７を挿入する連繋孔部６を形成する。【選択図】図１
0003158750.tif 000002
【実用新案登録請求の範囲】
【請求項１】
摘み部が突設されて成る蝶ネジ・蝶ナットを回すネジ回し装置の装置本体を、蝶ネジ・蝶ナットの摘み部にわたる全幅よりも長い中央面部と左右側面部とによって略コ字枠状に成形し、左右側面部同士の間隔幅を蝶ネジ・蝶ナットの摘み部にわたる全幅よりも短く形成して成ることを特徴とする楽器スタンド・楽器用固定ネジのネジ回し装置。
【請求項２】
中央面部の長手方向一端側には、蝶ネジのネジ軸頭部における突出部分、またはネジ棒にねじ込まれた蝶ナットから突出した当該ネジ棒の先端部分が挿入可能となるよう挿入開口部が形成されている請求項１記載の楽器スタンド・楽器用固定ネジのネジ回し装置。
【請求項３】
左右側面部の各内側面には、中央面部の挿入開口部位置に対応して緩衝部材が貼着されている請求項１または２記載の楽器スタンド・楽器用固定ネジのネジ回し装置。
【請求項４】
左右側面部のいずれか一方の長手方向他端側には、ストラップ取付用の取付金具が挿入される連繋孔部が形成されている請求項１乃至３のいずれか記載の楽器スタンド・楽器用固定ネジのネジ回し装置。
【請求項５】
摘み部が突設されて成る蝶ネジ・蝶ナットを回すネジ回し装置の装置本体を、蝶ネジ・蝶ナットの摘み部にわたる全幅よりも長い中央面部と左右側面部とによって略コ字枠状に成形し、左右側面部同士の間隔幅を蝶ネジ・蝶ナットの摘み部にわたる全幅よりも短く形成して成ると共に、中央面部の長手方向一端側には、蝶ネジのネジ軸頭部における突出部分、またはネジ棒にねじ込まれた蝶ナットから突出した当該ネジ棒の先端部分が挿入可能となるよう挿入開口部が形成され、左右側面部の各内側面には、中央面部の挿入開口部位置に対応して緩衝部材が貼着され、左右側面部のいずれか一方の長手方向他端側には、ストラップ取付用の取付金具が挿入される連繋孔部が形成されていることを特徴とする楽器スタンド・楽器用固定ネジのネジ回し装置。
【考案の詳細な説明】
【技術分野】
【０００１】
本考案は、主としてドラム等の打楽器その他の各種の楽器のパーツや、打楽器スタンド類を支持したり高さや傾きを調整したりするための各種支持部材を調整支持する固定用の蝶ネジ、さらにはネジ棒にねじ込まれる蝶ナット等を回すとき、さらに例えばタムタム・スネアドラム・フロアタム・バスドラム・ティンパニ等の各種打楽器のバターヘッドの張り具合を調整するための所謂チューニングボルトと称する調律用の蝶ネジを回すときに使用する楽器スタンド・楽器用固定ネジのネジ回し装置に関する。
【背景技術】
【０００２】
従来から、各種シンバルを支えるスタンド類の高さや傾きを調整したり、その他各種の楽器のパーツやスタンド類を支持したりするために調整支持する固定用の蝶ネジや蝶ナットは素手で簡単に回すことができるように設計されている。また、例えばタムタム・スネアドラム・フロアタム・バスドラム・ティンパニ等の各種ドラムの円筒形の胴部縁部に環状リムによって張設保持されている皮製またはプラスチック製によるバターヘッドの張り具合を調整するには、当該環状リムに沿って等間隔毎で且つバターヘッドの中央から対称位置に備えられている所謂チューニングボルトと称する調律用の複数の蝶ネジを素手で締め付けたり緩めたりすることで調整が行われる。例えば所謂ラグボルトと称する８本の蝶ネジを有するタイプのスネアドラムの場合、環状リムの外周を８等分する角度位置にラグボルト用受け部が突設され、ここに８本のラグボルトが挿通されてバターヘッドを締め付けている。このように調律用の蝶ネジは、１個の各種ドラムに対して複数本が取り付けられており、素手で回転させるという単純作業を８箇所にわたり多数回繰り返すという非常に手間の掛かる作業が要求される。
【０００３】
ところで、楽器のスタンドの具体的な例としては、例えば、特許文献１に開示されているように、スネアドラム保持アームとラグボルト用受け部とが干渉せずにスネアドラムをしっかりと保持することができるスネアドラムの保持構造が存在する。すなわち、当該スネアドラムの保持構造は、スタンド本体と、先端に固定側角度調節部材を有する可動パイプと、３つの保持アーム軸支部が張設された上側環状部材と、３つの連結アーム軸支部が張設された下側環状部材と、３本のスネアドラム保持アームと、３本の連結アームを有するスネアドラム保持部材と、上側環状部材をセンターシャフト先端に固定するための上側固定部材と、下側環状部材の高さ位置を調節する調節ナット部材とから成っている。
【０００４】
また、特許文献２に開示されているように、ギターやドラム等の調律用ネジに、どのような方向から回転を与えてもスムーズに回転力を伝達することのできる楽器調律用ネジ回し装置が存在する。すなわち、当該楽器調律用ネジ回し装置は、装置本体に回転自在に取り付けた装置頭部に、調律用ネジ頭部を遊嵌する凹部を設け、該凹部の駆動壁を、回転軸に対して対称的でしかも平面または曲面で形成した凸状または凹状に形成し、凹部に遊嵌した調律用ネジ頭部が凹部内で移動可能でしかも装置頭部が回転すると駆動壁に押されて調律用ネジが共回りできるように形成されている。
【先行技術文献】
【特許文献】
【０００５】
【特許文献１】特開２００１−１８４０５６号公報
【特許文献２】特開平７−５８７４号公報
【考案の概要】
【考案が解決しようとする課題】
【０００６】
しかしながら、上述した従来の保持構造、ネジ回し装置においては、各種の楽器のパーツやスタンド類を支持したりするために調整支持する固定用の蝶ネジや蝶ナットを素手で締め付けたり緩めたりするので非常に労力の要る面倒な作業となる。しかも、調節ナット部材の締め付け力が弱いと、楽器演奏時の振動によって蝶ネジや蝶ナットが緩み、高さが調整保持されているパーツやスタンド類が演奏中に急に落下してしまう等の虞がある。また、特許文献１のスネアドラムの保持構造に使用されている調節ナット部材自体には大きな負荷が掛かっている部分であるから、きつく締め過ぎると、素手で緩めるときに手指を痛めてしまう。しかも、調節ナット部材を締め付ける場合、逆にこれを緩める場合のいずれでも、しっかりとしたネジ回し作業を強いられることとなる。これによって例えばレンタルスタジオ等において楽器をセッティングするに際し、時間が掛かってしまう。
【０００７】
また、特許文献２に開示されている楽器調律用ネジ回し装置の場合では、筒体によって形成された装置の頭部に設けた凹部に調律用ネジ頭部を遊嵌して筒体自体を回転させるために十分なトルクが得られず、このような装置を使用しても、きつく締め過ぎた調律用ネジは容易には回せないという問題点を有していた。
【０００８】
そこで、本考案は叙上のような従来存した諸事情に鑑み創案されたもので、主として打楽器等の楽器スタンドにおける各種の調整、支持等のための固定用の蝶ネジ・蝶ナットを回転させるための十分なトルクが得られ、きつく締めた蝶ネジ・蝶ナットを手指を痛めずに容易に緩めることができ、しかも蝶ネジ・蝶ナットを締め付ける場合にも十分な捻回締め付けトルクが得られて強固に締め付けることで、高さが調整保持されているパーツやスタンド類の落下、転倒を防ぐことができ、また蝶ネジの頭部が突出している場合、あるいはネジ棒にねじ込まれた蝶ナットから当該ネジ棒先端が突出している場合、さらには蝶ネジ・蝶ナットのサイズが異なっていたりしてもこれに十分に対応できると共に、携帯、持ち運びにも便利な楽器スタンド・楽器用固定ネジのネジ回し装置を提供することを目的とする。
【課題を解決するための手段】
【０００９】
上述した課題を解決するために、本考案にあっては、摘み部Ｐ２，Ｎ２が突設されて成る蝶ネジＰ・蝶ナットＮを回す楽器用ネジ回しの装置本体１を、蝶ネジＰ・蝶ナットＮの摘み部Ｐ２，Ｎ２にわたる全幅よりも長い中央面部２と左右側面部３とによって略コ字枠状に成形し、左右側面部３同士の間隔幅を蝶ネジＰ・蝶ナットＮの摘み部Ｐ２，Ｎ２にわたる全幅よりも短く形成して成るものである。
中央面部２の長手方向一端側には、蝶ネジＰのネジ軸頭部Ｐ１における突出部分、またはネジ棒Ｔにねじ込まれた蝶ナットＮから突出した当該ネジ棒Ｔの先端部分が挿入可能となるよう挿入開口部４が形成されているものとできる。
左右側面部３の各内側面には、中央面部２の挿入開口部４位置に対応して緩衝部材５が貼着されているものとできる。
左右側面部３のいずれか一方の長手方向他端側には、ストラップ８取付用の取付金具７が挿入される連繋孔部６が形成されているものとできる。
【００１０】
以上のように構成された本考案に係る楽器スタンド・楽器用固定ネジのネジ回し装置にあって、装置本体１の左右側面部３間に固定ネジ、すなわち蝶ネジＰ・蝶ナットＮの摘み部Ｐ２，Ｎ２が挿入され、ネジ軸頭部Ｐ１における突出部分、またはネジ棒Ｔにねじ込まれた蝶ナットＮから突出した当該ネジ棒Ｔの先端部分が中央面部２にある挿入開口部４に挿入されている状態で回した際に、蝶ネジＰ・蝶ナットＮの一方側の摘み部Ｐ２が左右側面部３の一方側の緩衝部材５に当接され、蝶ネジＰ・蝶ナットＮの他方側の摘み部Ｐ２，Ｎ２が左右側面部３の他方側の緩衝部材５に当接され、これにより蝶ネジＰ・蝶ナットＮを僅かなトルクで回転可能にさせる。
中央面部２の挿入開口部４は、蝶ネジＰのネジ軸頭部Ｐ１における突出部分またはネジ棒Ｔにねじ込まれた蝶ナットＮから当該ネジ棒Ｔ先端が突出している突出部分が挿入されることで、回わされる蝶ネジＰ・蝶ナットＮを支持させる。
左右側面部３の各内側面の緩衝部材５は、左右側面部３によって蝶ネジＰ・蝶ナットＮを回転させる際の摘み部Ｐ２，Ｎ２に対する摩擦を軽減させる。
左右側面部３のいずれか一方の連繋孔部６には、ストラップ８取付用の取付金具７が挿入され、当該ストラップ８を衣類に装着することで、装置本体１の携帯、持ち歩きを可能にさせる。
【考案の効果】
【００１１】
本考案によれば、例えばドラムその他の打楽器における楽器スタンド等の固定用の固定ネジである蝶ネジＰ・蝶ナットＮを回転させるための十分なトルクが得られ、きつく締めた蝶ネジＰ・蝶ナットＮを手指を痛めずに容易に緩めることができ、しかもこれら蝶ネジＰ・蝶ナットＮを締め付ける場合にも十分な捻回締め付けトルクが得られるて強固に締め付けることができる。そのため、例えば高さが調整保持されて固定されているパーツやスタンド類の落下、転倒を防ぐことができ、また蝶ネジＰの頭部が突出している場合、あるいはネジ棒Ｔにねじ込まれた蝶ナットＮから当該ネジ棒Ｔ先端が突出している場合、さらには蝶ネジＰ・蝶ナットＮのサイズが異なっている場合も、これ等に十分に対応できると共に、携帯、持ち運びにも便利なものとなる。
【００１２】
すなわち、これは本考案が、摘み部Ｐ２，Ｎ２が突設されて成る蝶ネジＰ・蝶ナットＮを回す楽器用ネジ回しの装置本体１を、蝶ネジＰ・蝶ナットＮの摘み部Ｐ２，Ｎ２にわたる全幅よりも長い中央面部２と左右側面部３とによって略コ字枠状に成形し、左右側面部３同士の間隔幅を蝶ネジＰ・蝶ナットＮの摘み部Ｐ２，Ｎ２にわたる全幅よりも短く形成して成るからであり、これにより、蝶ネジＰ・蝶ナットＮの摘み部Ｐ２，Ｎ２にわたる全幅よりも長い装置本体１で蝶ネジＰ・蝶ナットＮを回転させることから十分なトルクが得られ、きつく締め過ぎた蝶ネジＰ・蝶ナットＮを手指を痛めずに僅かな力でもって容易に緩めることができ、また蝶ネジＰ・蝶ナットＮを締め付ける場合にも十分な捻回締め付けトルクが得られることで強固に締め付けることができる。
【００１３】
中央面部２の長手方向一端側には、蝶ネジＰのネジ軸頭部Ｐ１における突出部分、またはネジ棒Ｔにねじ込まれた蝶ナットＮから突出した当該ネジ棒Ｔの先端部分が挿入可能となるよう挿入開口部４が形成されているので、蝶ネジＰの頭部が突出している場合、あるいはネジ棒Ｔにねじ込まれた蝶ナットＮから当該ネジ棒Ｔ先端が突出している場合であってもこれに対応させることができる。しかも、挿入開口部４は回わされる蝶ネジＰ・蝶ナットＮを支持させているから、傾くことなく安定したネジ回しが行える。
【００１４】
左右側面部３の各内側面には、中央面部２の挿入開口部４位置に対応して緩衝部材５が貼着されているので、左右側面部３によって蝶ネジＰ・蝶ナットＮを回転させる際の摘み部Ｐ２に対する摩擦による損傷を未然に防止することができる。しかも、蝶ネジＰ・蝶ナットＮの径サイズが異なっても緩衝部材５による弾性保持力によってこれに十分に対応させることができる。
【００１５】
左右側面部３のいずれか一方の長手方向他端側には、ストラップ８取付用の取付金具７が挿入される連繋孔部６が形成されているので、ストラップ８取付用の取付金具７を挿入し、当該ストラップ８を衣類の例えばズボンのベルト通し等に装着することで、装置本体１の携帯、持ち歩きが可能となる。
【００１６】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１７】
【図１】本考案を実施するための一形態を示す楽器スタンドの高さ調整時における使用状態の斜視図である。
【図２】同じく楽器の調律時における使用状態の斜視図である。
【図３】同じく固定ネジである蝶ナットを回す場合の拡大断面図である。
【図４】同じく楽器スタンド・楽器用固定ネジのネジ回し装置の一例を示し、（ａ）は底面図、（ｂ）は（ａ）のＸ−Ｘ断面図、（ｃ）は正面図である。
【図５】同じく持ち運ぶときの一例を示す斜視図である。
【図６】同じく取っ手を取り付けた一例を示す斜視図である。
【図７】同じく楽器スタンド・楽器用固定ネジのネジ回し装置の他例を示し、（ａ）は断面略五角形アーチ状に成形した場合の正面図、（ｂ）は断面略蒲鉾形に成形した場合の正面図、（ｃ）断面略半円弧状に成形した場合の正面図である。
【考案を実施するための形態】
【００１８】
以下、図面を参照して本考案の実施の形態を詳細に説明すると、図において示される符号１は、ドラムその他の打楽器等における各種楽器スタンドを所定の高さと傾きに支持し、固定するための固定ネジである蝶ネジＰ（図１参照）、あるいは各種打楽器を調律するための蝶ネジＰ（図２参照）、さらには楽器スタンド、打楽器等におけるネジ棒Ｔにねじ込まれる固定ネジである蝶ナットＮ（図３参照）等を回すための楽器スタンド・楽器用固定ネジのネジ回し装置を構成する装置本体である。
【００１９】
尚、蝶ネジＰとしては、例えば直径約１ｃｍ程度のネジ軸頭部Ｐ１の左右対称位置に羽根板状の摘み部Ｐ２が突設され、ネジ軸頭部Ｐ１先端部分が摘み部Ｐ２突出位置から僅かに突出している。蝶ナットＮとしては、左右対称位置に羽根板状の摘み部Ｎ２が突設されて成り、当該蝶ナットＮにネジ棒Ｔがねじ込まれることで、ネジ棒Ｔの先端部分が突出される。また、蝶ナットＮは袋状のものであっても良く、この場合にも蝶ナットＮの袋頭部が摘み部Ｎ２突出位置から僅かに突出している。
【００２０】
装置本体１は、図４に示すように、例えば長さ約１２ｃｍ、幅約５ｃｍ程度の例えばアルミニウム製またはステンレス製等の長方形板材を長さ方向に沿って略コ字枠状に折り曲げ成形、あるいは押し出し成形する等によって、幅２ｃｍの中央面部２と、共に幅１．５ｃｍとなった左右側面部３とが形成されている。また、左右側面部３下端の長手方向に沿った両角部分には面取加工が施されている。このように中央面部２の幅が左右側面間の間隔幅となり、当該間隔幅は蝶ネジＰ・蝶ナットＮの左右摘み部Ｐ２，Ｎ２にわたる全幅よりも短くなるよう上記したように約２ｃｍに設定されているのである。尚、装置本体１自体の大きさはこれらの具体的な数値の構成に限定されないことは勿論である。
【００２１】
中央面部２の長手方向一端側には直径約１．１ｃｍ程度の円形状の挿入開口部４が形成されており、蝶ネジＰの直径約１ｃｍ程度のネジ軸頭部Ｐ１における突出部分、または蝶ナットＮにねじ込まれて突出されたネジ棒Ｔの先端部分（図３参照）、不図示の袋状の蝶ナットＮの袋頭部それぞれが挿入できるようになっている。また、中央面部２の長手方向他端側における表裏面のいずれかには必要があればロゴステッカーＬが貼着される。
【００２２】
左右側面部３の各内側面の長手方向一端側には、中央面部２の挿入開口部４位置に対応して、例えば長さ約６ｃｍ、幅約１．５ｃｍ、厚さ約０．３ｃｍの例えばゴム材や弾性合成樹脂材等による緩衝部材５が左右側面部３それぞれの一端部位に長手方向に沿って貼着されている。
【００２３】
左右側面部３のいずれか一方の長手方向他端側には連繋孔部６が形成され、当該連繋孔部６には、図５に示すように、例えばカラビナ型に成形されたストラップ８を取り付けるためのリング状の取付金具７が挿入されるものとなっている。このように装置本体１は取付金具７によって取り付けられたストラップ８を介して例えばズボンのベルト通し等に取り付けられるようになっている。
【００２４】
また、図６に示すように、装置本体１の中央面部２外面に一端側の挿入開口部４に対応して例えば丸棒材による取っ手９の端部を例えば溶接等によって固着し、長形化することで、装置本体１自体を僅かなトルクでもって容易に回せるようにしても良い。
【００２５】
また、装置本体１を略コ字枠状に折り曲げ成形する代わりに、図７（ａ）に示すように、中央面部２と左右側面部３との間に傾斜面部１０を設けることで断面略五角形アーチ状に成形しても良い。また、図７（ｂ）に示すように、中央面部２だけを円弧状にして断面略蒲鉾形に成形したり、図７（ｃ）に示すように、装置本体１全体を断面略半円弧状に成形したりする等、種々の形状によって装置本体１を形成しても良い。
【００２６】
次に、以上のように構成された形態についての使用の一例について説明すると、ドラムその他の打楽器等における各種の楽器スタンド等を所定の高さと傾きに支持し、固定するための蝶ネジＰは、図１に示すように、下部に不図示の三脚を備えた主パイプＶ上端に高さ・角度調整部Ｓを介して可動パイプＷが取り付けられ、当該高さ・角度調整部Ｓに互いに同軸となって対向装着させられた高さ調整用の蝶ネジＰと角度調整用の蝶ネジＰとから成る。
【００２７】
また、楽器類のスタンド等を支持した状態でネジ棒Ｔにねじ込まれた蝶ナットＮを回す場合には、図３に示すように、装置本体１の左右側面部３間に蝶ナットＮの摘み部Ｎ２を挿入し、蝶ナットＮにねじ込まれて突出されたネジ棒Ｔの先端部分を装置本体１の中央面部２にある挿入開口部４に挿入する。そして、装置本体１を回すと、蝶ナットＮの一方側の摘み部Ｎ２が左右側面部３の一方側の緩衝部材５に当接され、蝶ナットＮの他方側の摘み部Ｎ２が左右側面部３の他方側の緩衝部材５に当接される。こうして装置本体１を回すと蝶ナットＮは僅かなトルクで回転して緩めることができ、また蝶ナットＮを僅かな締め付けトルクでもって締め付けることができる。
【００２８】
一方、各種打楽器を調律するための蝶ネジＰは、図２に示すように、例えばドラムの場合、環状リムＲの外周を８等分する角度位置にネジ受け部Ｑが突設され、各ネジ受け部Ｑに蝶ネジＰが挿通されて打ち叩き面であるバターヘッドＨを締め付けている。
【００２９】
そして、蝶ネジＰを緩める場合には、装置本体１の左右側面部３間に蝶ネジＰの摘み部Ｐ２を挿入し、ネジ軸頭部Ｐ１における突出部分を装置本体１の中央面部２にある挿入開口部４に挿入する。そして、装置本体１を少し回すと、図４に示すように、蝶ネジＰの一方側の摘み部Ｐ２が左右側面部３の一方側の緩衝部材５に当接され、蝶ネジＰの他方側の摘み部Ｐ２が左右側面部３の他方側の緩衝部材５に当接される。こうして装置本体１を回すと蝶ネジＰは僅かなトルクで回転して緩めることができる。
【００３０】
逆に、蝶ネジＰを締め付ける場合には、上記と同様に装置本体１の左右側面部３間に蝶ネジＰの摘み部Ｐ２を挿入して、締め付け方向に装置本体１を回すことで、蝶ネジＰの一方側の摘み部Ｐ２が左右側面部３の一方側の緩衝部材５によって押され、蝶ネジＰの他方側の摘み部Ｐ２が左右側面部３の他方側の緩衝部材５によって押される。こうして蝶ネジＰを僅かな締め付けトルクでもって締め付けることができる。
【００３１】
尚、装置本体１を使用しない場合には、図５に示すように、装置本体１に取り付けられたストラップ８によって例えばズボンのベルト通し等に取り付けることで、携帯し、持ち歩けば良い。
【産業上の利用可能性】
【００３２】
本考案の楽器スタンド・楽器用固定ネジのネジ回し装置は、各種打楽器の蝶ネジＰ・蝶ナットＮを回すために使用される他に、例えばギターやチェンバロ等の弦楽器に弦を巻き付け張る際に使用する調律用の摘み型の蝶ネジＰ・蝶ナットＮ、その他ピアノの調律用の蝶ネジＰ・蝶ナットＮを回転したりする等、他の楽器の様々な蝶ネジＰ・蝶ナットＮ類を回すための工具として幅広く適用することができる。そればかりでなく、各種の日用品、産業用各種器具類における固定ネジのネジ回し具としての利用も可能である。
【符号の説明】
【００３３】
Ｐ…蝶ネジ                              Ｐ１…ネジ軸頭部
Ｐ２…摘み部                            Ｑ…ネジ受け部
Ｒ…環状リム                            Ｓ…高さ・角度調整部
Ｈ…バターヘッド                        Ｖ…主パイプ
Ｗ…可動パイプ                          Ｌ…ロゴステッカー
Ｔ…ネジ棒                              Ｎ…蝶ナット
Ｎ２…摘み部
１…装置本体                            ２…中央面部
３…左右側面部                          ４…挿入開口部
５…緩衝部材                            ６…連繋孔部
７…取付金具                            ８…ストラップ
９…取っ手                              １０…傾斜面部
【図１】
0003158750.tif 000003
【図２】
0003158750.tif 000004
【図３】
0003158750.tif 000005
【図４】
0003158750.tif 000006
【図５】
0003158750.tif 000007
【図６】
0003158750.tif 000008
【図７】
0003158750.tif 000009